(57)【特許請求の範囲】
【請求項１】
同一店舗内に、ショーケースと空調機が施設されていて、それぞれの冷媒回路が独立し、各々専用の冷凍機とつながっている空調装置において、前記ショーケースに接続された冷凍機の目標蒸発温度（ＥＴｍ）と最初に目標として設定された冷媒蒸発温度（ＥＴ）との差があらかじめ定めた閾値以下となった場合に、前記ショーケースの所要冷却能力の状態が不足であると判定し、不足の場合は前記空調機の設定温度を下げることを特徴とした空調装置。
【請求項２】
同一店舗内に設置してある特定のショーケースに接続された冷凍機の目標蒸発温度（ＥＴｍ）及び最初に目標として設定された冷媒蒸発温度（ＥＴ）を用いて前記判定を行う、請求項１に記載の空調装置。
【請求項３】
前記閾値は、前記空調機の運転モードにより変える請求項１または２に記載の空調装置。
【発明の詳細な説明】
【技術分野】
【０００１】
本発明は、空調装置に係り、特に冷凍装置と空調装置とが各々独立した冷媒の循環流路を有する空調装置に関する。
【背景技術】
【０００２】
図１は一般的な食品店舗を示しており、食品店舗は大きく分けて、冷蔵・冷凍食品売り場、非冷蔵・冷凍商品売り場、レジの構成となり、店舗の裏側に商品をストックするバックヤード１９（１９ａ、１９ｂ）を配している。
【０００３】
店舗内は、店舗内空調を整える、空調機１８（１８ａ〜１８ｉ）があり、冷蔵・冷凍食品を展示するショーケース２（２ａ、２ｂ、２ｅ、２ｊ、２ｓ、２ｗ、２ｔ〜）を配している。空調機１８ａ〜１８ｉ、ショーケース２ａ、２ｂ、２ｅ、２ｊ、２ｓ、２ｗ、２ｔ〜はそれぞれ冷凍サイクル２０（２０ａ〜２０ｉ）の配管を通じて、各対応するコンデンシングユニット（冷凍機）１（１ａ〜１ｉ）とつながっている。
【０００４】
バックヤード１９ａ、１９ｂも、内部を冷やすための冷却機（図示せず）を備え、独立した冷凍機か、いずれかのショーケースの冷媒系統に接続している。
【０００５】
これら、空調機１８ａ〜１８ｉやショーケース２ａ、２ｂ、２ｅ、２ｊ、２ｓ、２ｗ、２ｔ〜はそれぞれに、温度設定するリモコンを配置する場合もあるが、通常台数が多いため、一括で管理するシステムコントローラ４１を設けて、このシステムコントローラにて、各空調機１８ａ〜１８ｉや、ショーケース２ａ、２ｂ、２ｅ、２ｊ、２ｓ、２ｗ、２ｔ〜の温度設定、発動、停止、異常表示などを行う。よってシステムコントローラ４１は一般に店長室に配置されている。
【０００６】
当然システムコントローラは全ての空調機１８ａ〜１８ｉ、ショーケース２ａ、２ｂ、２ｅ、２ｊ、２ｓ、２ｗ、２ｔ〜に有線、無線の何らかの方法で接続されていて、情報通信ができるようになっている（図示せず）。
【０００７】
ショーケース２ａ、２ｂ、２ｅ、２ｊ、２ｓ、２ｗ、２ｔ〜は、用途ごとに庫内の温度を設定しており、同列の温度帯のケースを並べて配置する。
【０００８】
ショーケース２ａ、２ｂ、２ｅ、２ｊ、２ｓ、２ｗ、２ｔ〜とコンデンシングユニット（冷凍機）１との関係は、通常１台のコンデンシングユニット１に、冷却能力でカバーできる範囲内で、類似庫内温度のショーケース２ａ、２ｂ、２ｅ、２ｊ、２ｓ、２ｗ、２ｔ〜を接続する。これは、コンデンシングユニット１は、つながるショーケース２ａ、２ｂ、２ｅ、２ｊ、２ｓ、２ｗ、２ｔ〜の庫内温度の低いほうにあわせて冷媒の蒸発温度を設定するためで、冷媒蒸発温度を下げるほど、仕事量が増え電気代がかさむことになるためである。
【０００９】
下記表１は、代表事例としての、ショーケース２ａ、２ｂ、２ｅ、２ｊ、２ｓ、２ｗ、２ｔ〜の用途ごとの設定温度と、コンデンシングユニット（冷凍機）の目標蒸発温度を示したものである。
【００１０】
【表１】
0005758663.tif 000002
【００１１】
空調機１８の設定温度は、２５℃前後で、夏は高め、冬は低目にする傾向にある。これは、外から入ってこられたお客様の感じる体感温度は、外の温度との差による影響が大きいためと、省エネに対しての意識が、社会的にも認識されてきたことが大きい。
【００１２】
よって、仮に夏場であると、同一店舗内に空調機１８とショーケース２ａ、２ｂ、２ｅ、２ｊ、２ｓ、２ｗ、２ｔ〜が配置されていることは、同一店舗内の空気を、空調機１８とショーケース２ａ、２ｂ、２ｅ、２ｊ、２ｓ、２ｗ、２ｔ〜で冷やすことになる。
【００１３】
このことは、空調機用のコンデンシングユニットとショーケース用のコンデンシングユニットの冷凍機双方が、同一店舗内の空気を冷やすために仕事をしていると言い換えられる。
【００１４】
従来の冷凍装置では、ショーケースの負荷が増大して稼動率が高くなったとき、冷凍機用圧縮機の設定圧力（吸入圧力）を自動的に下げてショーケースの負荷の増大に追従しようとする。
【００１５】
このため、冷媒の蒸発温度が低くなり、冷凍機の運転効率が低下し、電力消費量が増大してしまう場合がある。このような冷凍機の運転効率低下による電力消費の増大を抑えることにより、省エネルギー性を向上することが望まれている。
【００１６】
一方、従来の空調装置では、空調装置が暖房運転のときの消費エネルギーを低減するものである。
【００１７】
これら各々独立した冷媒回路を有する空調装置と冷凍装置とを組み合わせて冷凍空調装置とすることによる冷凍装置側の消費エネルギーの低下については考慮されていない。このため、各々独立した冷媒回路を有する空調装置と冷凍装置とを組み合わせた冷凍空調装置とすることにより、冷凍装置側の消費エネルギーを低減することにより、省エネルギー性を向上できる冷凍空調装置が望まれている。
【００１８】
下記特許文献１は、集中制御部は、ショーケースの負荷に応じて空調装置の冷房運転設定温度を既定値よりも下げる構成としたものである。
【００１９】
すなわち、比較的運転効率が高く、消費エネルギーが少ない空調装置によって店舗の室内の温度を下げることで、オープンショーケースの負荷を下げ、さらに冷凍機の運転効率の低下を防ぐことができ、冷凍空調装置として見たとき、運転効率を向上し、省エネルギー性を向上することができる。
【特許文献１】特許第４０８８６７１号公報
【００２０】
この特許文献１においてショーケースの負荷は、冷凍機の圧縮機の運転電流及び運転周波数により把握される。
【００２１】
空調装置が冷房運転の場合、集中制御部は、冷凍機に設けられた機器によって計測され、冷凍機制御部を介して出力されてくる冷凍機の圧縮機の運転電流及び運転周波数のデータを受信し、そして、保存した運転電流及び運転周波数のデータから、予め設定した時間毎に、例えば１時間毎に、この時間の間の運転電流及び運転周波数の平均値、つまり平均運転電流Ａ及び平均運転周波数Ｈを算出する。
【００２２】
ここで、集中制御部には、冷凍機の運転効率が低下し始める分岐点の運転電流及び運転周波数に基づいて決定した運転電流基準値Ａ１及び運転周波数基準値Ｈ１が予め入力され、設定されている。
【００２３】
さらに、集中制御部には、算出した平均運転電流Ａ及び平均運転周波数Ｈと、運転電流基準値Ａ１及び運転周波数基準値Ｈ１とを比較するための比較周期となる時間ｔが入力され設定されている。
【００２４】
したがって、集中制御部は、時間ｔが経過する毎に、算出した平均運転電流Ａ及び平均運転周波数Ｈと、運転電流基準値Ａ１及び運転周波数基準値Ｈ１とを比較する。
【００２５】
平均運転電流Ａ及び平均運転周波数Ｈが、共に運転電流基準値Ａ１及び運転周波数基準値Ｈ１を越えている場合、集中制御部は、冷凍機の運転負荷が増大し運転効率が低下していると判断する。
【００２６】
そして、集中制御部は、店舗内の空調を行っている空調装置の室外機の室外機制御部、室内機制御部などを介して、室内機制御部に接続されたリモコンに対し、リモコンで使用者などによって設定された冷房運転の設定温度を、予め集中制御部に入力されて設定された温度ΔＴだけ下げるように指令する。これにより、空調装置の冷房運転の設定温度が既定値よりも温度ΔＴだけ下げられた状態で冷房運転が行われる。
【００２７】
一方、平均運転電流Ａ及び平均運転周波数Ｈが、共に運転電流基準値Ａ１及び運転周波数基準値Ｈ１よりも小さい場合、集中制御部は、空調装置の冷房運転の設定温度の変更を行わず、リモコンで使用者などによって設定された冷房運転の設定温度により冷房運転を行う。
【００２８】
このように空調装置が冷房運転時、オープンショーケースの負荷増大、つまり冷凍機の負荷増大により、冷凍機の運転効率が低下しそうになると、空調装置の設定温度が温度ΔＴ下がる。
【００２９】
このため、空調装置により、オープンショーケースが設置された店舗の室内の温度が下がり、オープンショーケースの冷凍負荷や冷蔵負荷となる熱量の１つである外気からの侵入熱の熱量が低減される。
【発明の開示】
【発明が解決しようとする課題】
【００３０】
前記のように、同一店舗内に、ショーケースと空調機が施設されていて、それぞれの冷媒回路が独立し、各々専用の冷凍機とつながっている場合、ショーケースも空調機も同じエリアの空気を冷やすことになる。よって、冷媒の蒸発温度が高い空調機への仕事配分を多くする方が、全体としての効率があがり、より省エネになる。
【００３１】
但し、店舗全体を冷やしすぎるのは、逆に省エネを阻害し、滞在する人へも低温ストレスを与えてしまう。
【００３２】
前記特許文献１にもあるように、従来その配分としてのトリガを、各々の冷凍機の電力量もしくは圧縮機周波数を別のコントローラが測定し、ある値以上で、空調機側配分を高くするようにコントローラが指示を出し、その指示方法として空調機の設定温度を下げることを行ってきた。
【００３３】
ただし、冷凍機、空調機で特にインバータ方式では、冷媒の低圧を一定にするように容量制御を行っている。
【００３４】
よって冷凍機に接続している負荷は、ショーケースの台数に比例していくので、最初の設置工事で冷凍機の負荷量はほぼ決まってしまい、冷凍機能力上限まで、ショーケースをつなげると、当然電力量は増え、逆は減ることになる。
【００３５】
このことは逆に、実際にはショーケースの環境要因が悪化していても、ケースの接続が少ない場合は、空調機への仕事配分増加指示を出せなくなる。
【００３６】
またショーケース環境として、バランスが取れている良い状態であっても、ショーケース接続台数が多いと、空調機側に更に室内全体を冷やしこませ、省エネを阻害することが発生するなどの問題が生じた。
【００３７】
本発明は前記不都合を解消し、同一店舗内のショーケースと空調機の仕事配分を適正に配分することで、店舗空調、ショーケース双方で使用するコンデンシングユニット合計での電気代を抑制し省エネを実現し、かつ空調機による冷やしこませ過ぎを防止して、店舗内に居られるお客様への過度のストレスとならないように配慮した空調装置を提供することにある。
【課題を解決するための手段】
【００３８】
前記目的を達成するため本発明は、同一店舗内に、ショーケースと空調機が施設されていて、それぞれの冷媒回路が独立し、各々専用の冷凍機とつながっている空調装置において、前記ショーケースに接続された冷凍機の目標蒸発温度（ＥＴｍ）と最初に目標として設定された冷媒蒸発温度（ＥＴ）との差があらかじめ定めた閾値以下となった場合に、前記ショーケースの所要冷却能力の状態が不足であると判定し、不足の場合は前記空調機の設定温度を下げるものである。
【００３９】
本発明によれば、同一店舗内にショーケースと空調機が設置される場合、ショーケースが環境条件によって所要冷却能力が増減した場合、空調機をもってショーケース環境を改善する指標を、その所要能力の変動より求めることで、ショーケース環境が悪くなっている状況では、きちんと空調で環境を改善し、ショーケースのコンデンシングユニットで効率の悪い運転をしなくなることで、店舗全体での最適運転ができるようになる。
【００４０】
また、特殊条件による無駄な店舗の冷やしこみも避けられるので、基本的には所定の空調温度を大きく逸脱せず、頻度も抑えるので、滞在する人への低温ストレスも低減でき、省エネとの両立を得ることになる。
【００４２】
本発明によれば、ショーケースの環境が悪くなったことでショーケースの仕事量が増えた場合、そのことを検出し、その場合は空調機での仕事量を増やしショーケースの環境としての温度もしくは湿度を改善する。
【００４３】
このことで、空調機側の仕事量は増えるが、空調機側の方がショーケース側より、冷媒蒸発温度を高くして使用するため効率がよく、店舗全体としては省エネとなる。なお、ここでの空調機の仕事量を増やすとは、空調機の設定温度を下げることで、ショーケースの環境となる温度、もしくは湿度を低下させることである。
【００４４】
本発明に係る空調装置は、同一店舗内に設置してある特定のショーケースに接続された冷凍機の目標蒸発温度（ＥＴｍ）及び最初に目標として設定された冷媒蒸発温度（ＥＴ）を用いて前記判定を行うものである。
【００４５】
本発明によれば、ショーケースの環境要因の劣化によって空調機の設定温度を下げる制御は、特定の使用状態にならないショーケース、もしくは、コンデンシングユニットを選定することで、特に商品陳列上、ショーケースの吸い込み口を商品で邪魔をすることで、絶えず冷却能力不足となるケースなどを対象外として、ショーケースの環境要因の劣化によって空調機の設定温度を下げる制御を適切に行うことができる。
【００４６】
本発明に係る空調装置において、前記閾値は、前記空調機の運転モードにより変えるものである。
【００４７】
本発明によれば、空調機を暖房としている場合は、空調機の温度を下げるまでの条件を、夏場の空調機が冷房している状態より、敏感にしておくほうが無駄防止の視点では有利となる。
【発明の効果】
【００４８】
以上述べたように本発明の空調装置は、同一店舗内のショーケースと空調機の仕事配分を適正に配分することで、店舗空調、ショーケース双方で使用するコンデンシングユニット合計での電気代を抑制し省エネを実現し、かつ空調機による冷やしこませ過ぎを防止して、店舗内に居られるお客様への過度のストレスとならないように配慮できるものである。
【発明を実施するための最良の形態】
【００４９】
以下、本発明の実施形態を詳細に説明する。図２は本発明の空調装置で使用するショーケースの冷媒回路図、図３、図４は計測制御装置の主な構成を示すブロック図、図５は図２の１つのショーケースを拡大した説明図である。
【００５０】
図２において、１は熱源側で例えばコンデンシングユニットであり、２ａ、２ｂ、２ｃは負荷側のショーケースでこの部分は断面構成で図示している。
【００５１】
例えば、前記ショーケース２ａは青果用、ショーケース２ｂは日配用、ショーケース２ｃは生鮮用のショーケースとする。ショーケース２ａ、２ｂ、２ｃ内の白抜き矢印はショーケース内の空気の流れを示している。
【００５２】
図中、３は例えばインバータにより回転数が可変である圧縮機、４は凝縮器、５は液レシーバ、６はアキュムレータであり、これらはコンデンシングユニット１に内蔵される。
【００５３】
７ａ、７ｂ、７ｃは電磁弁、８ａ、８ｂ、８ｃは減圧装置である電子膨張弁、９ａ、９ｂ、９ｃは蒸発器、１０ａ、１０ｂ、１０ｃはショーケース２ａ、２ｂ、２ｃ内を冷却するため蒸発器９ａ、９ｂ、９ｃを経てショーケース２内の冷却対象に送風するファンであり、電磁弁７ａ、７ｂ、７ｃ、電子膨張弁８ａ、８ｂ、８ｃ、蒸発器９ａ、９ｂ、９ｃ、ファン１０ａ、１０ｂ、１０ｃはショーケース２ａ、２ｂ、２ｃに内蔵される。
【００５４】
液管１１とガス管１２は、コンデンシングユニット１とショーケース２ａ、２ｂ、２ｃを接続する冷媒配管である。
【００５５】
圧縮機３、凝縮器４、電磁弁７ａ、７ｂ、７ｃ、電子膨張弁８ａ、８ｂ、８ｃ、蒸発器９ａ、９ｂ、９ｃは冷媒配管１１、１２で接続されて冷凍サイクル２０を構成している。
【００５６】
特に本発明の空調装置に使用するショーケースでは、１つの熱源に複数の冷却負荷が並列に接続され、その目標冷却温度をそれぞれ個別に設定して冷却対象各々を互いに異なる目標冷却温度に冷却することができる。
【００５７】
さらに、１３ａ〜１３ｉは冷媒温度センサであり、１３ａは圧縮機３の吸入温度、１３ｂは圧縮機３の吐出温度、１３ｃは凝縮器４の出口温度、１３ｄは蒸発器９ａの入口温度、１３ｅは蒸発器９ａの出口温度、１３ｆは蒸発器９ｂの入口温度、１３ｇは蒸発器９ｂの出口温度、１３ｈは蒸発器９ｃの入口温度、１３ｉは蒸発器９ｃの出口温度を測定する。
【００５８】
１４ａ〜１４ｇは空気温度センサであり、１４ａは凝縮器４周囲の外気温度、１４ｂは蒸発器９ａの吸込空気温度、１４ｃは蒸発器９ａの吹出空気温度、１４ｄは蒸発器９ｂの吸込空気温度、１４ｅは蒸発器９ｂの吹出空気温度、１４ｆは蒸発器９ｃの吸込空気温度、１４ｇは蒸発器９ｃの吹出空気温度を測定する。
【００５９】
１５ａ、１５ｂは冷媒圧力センサであり、１５ａは冷凍サイクルの低圧である圧縮機３の吸入圧力、１５ｂは冷凍サイクルの高圧である圧縮機３の吐出圧力を測定する。
【００６０】
また、１６はコンデンシングユニット１の計測制御装置であり、計測制御装置１６の主な構成を図３に示す。
【００６１】
冷媒温度センサ１３ａ、１３ｂ、１３ｃ、空気温度センサ１４ａ、冷媒圧力センサ１５ａ、１５ｂでの測定値をもとに圧縮機３の回転数や、凝縮器４に送風するファン２８の風量などを制御する。
【００６２】
すなわち、コンデンシングユニット１の計測制御装置１６は圧縮機容量制御手段２１及びファン風量制御手段２２を含むものである。１７（１７ａ、１７ｂ、１７ｃ）は各ショーケース２ａ、２ｂ、２ｃの計測制御装置であり、計測制御装置１７の主な構成を図４に示す。
【００６３】
このショーケースの計測制御装置１７には、冷媒温度センサ１３（１３ａ〜１３ｉ）、空気温度センサ１４（１４ａ〜１４ｇ）によるそれぞれの蒸発器９ａ、９ｂ、９ｃの出入口冷媒温度、吹出・吸込の空気温度の測定値をもとに、電磁弁７ａ、７ｂ、７ｃの開閉、および電子膨張弁８（８ａ、８ｂ、８ｃ）の開度、ファン１０の風量を制御する。また、入力手段で入力された蒸発器９ａ、９ｂ、９ｃの冷却対象の目標冷却温度も記憶されている。
【００６４】
すなわちこのショーケースの計測制御装置１７は、目標温度設定手段３１、蒸発器運転決定手段３２、ファン風量制御手段３３、電子膨張弁８の開度を制御して流動抵抗を制御する流動抵抗制御手段３４を含むものである。
【００６５】
また、コンデンシングユニット１の計測制御装置１６とショーケース２ａ、２ｂ、２ｃの計測制御装置１７は相互に通信可能となっており、それぞれの計測値および制御される機器の情報通信を可能とする。情報の受け渡しの様子を図２〜図４に点線で示す。
【００６６】
次に、この実施の形態での冷媒の流れについて説明する。圧縮機３から吐出された高温高圧のガス冷媒は、凝縮器４で外気と熱交換し凝縮液化される。その後、液レシーバ５、液管１１を経てショーケース２ａ、２ｂ、２ｃに流入する。
【００６７】
そして電磁弁７ａ、７ｂ、７ｃを経た冷媒は、電子膨張弁８ａ、８ｂ、８ｃで減圧され、低圧の二相冷媒となった後で、蒸発器９ａ、９ｂ、９ｃで蒸発ガス化しながらファン１０ａ、１０ｂ、１０ｃで送風される空気に冷熱を供給する。
【００６８】
その後、冷媒はガス管１２、アキュムレータ６を通り、圧縮機３に吸入される。
【００６９】
図５にも示すように、ショーケース２ａはファン１０ａをもって、庫内に空気を循環させる。（白矢印）
【００７０】
循環空気は、冷却器９ａによって冷やされたショーケース２ａ天井より庫内をめぐり、ショーケース２ａ下部の吸い込み口より入る。ただし、どうしても構造上、ショーケース外部へ流出する外部流出空気が発生するので、その分、庫内に流入する庫内流入空気が発生する。よって、庫内の温度が安定した場合でも、庫内流入空気を絶えず冷やすことになるので、その分が冷却能力として必要になる。
【００７１】
ここでの所要熱量Ｑは、以下の式となる。
Ｑ＝Ｋ×Ａ×ΔＴ
Ｑ：所要冷却能力
Ｋ：熱通過率
Ａ：面積
ΔＴ：温度差
【００７２】
ここでＫ、Ａはショーケース構造の構造が一意に決まると固定値となるので
Ｑ∝ΔＴ
となる。
ΔＴは、庫内温度Ｔａと、冷媒温度Ｔｒｅｆとの差になるので、ショーケースの場合、以下の式で求められる。
ΔＴ＝Ｔａ−Ｔｒｅｆ
Ｔａ：庫内温度
Ｔｒｅｆ：冷媒温度
【００７３】
そして庫内温度Ｔａは、
Ｔａ＝（吸い込み空気温度Ｔａｉｎ＋吹出空気温度Ｔａｏｕｔ）／２  
なお、ここでのｉｎとｏｕｔは、冷却器９からみた方向で示している。
【００７４】
また、ここでの所要冷却能力は、基本的には、外部に漏れる熱量であることより、ショーケース２ａ外部環境（温度、湿度）による影響を受ける。そのため、ショーケース２ａのカタログ表記での所要冷却能力は、温度、湿度を特定している。
【００７５】
よってショーケース環境を安定させ、冷媒温度を理想的に調整することでショーケースの庫内温度は安定できる。
【００７６】
仮に、ショーケース環境温度が２５℃、湿度６０％でショーケースの目標温度を０℃であったときに、冷媒温度が−１０℃でちょうどショーケースの庫内温度が０℃でつりあいが出来るように、ショーケース２ａの計測制御装置１７ａとコンデンシングユニット１の計測制御装置１６、システムコントローラ４１によって、冷媒の温度を調整した場合、ショーケースの環境温度があがると、必要とする所要冷却能力が増えるので、冷媒温度が変わらない場合は、ΔＴが増加し庫内温度は上昇する。
【００７７】
よって、このような状態を計測制御装置１７ａが検知した場合は、ショーケース２ａの庫内温度を安定させるには、従来のショーケース２ａとコンデンシングユニット１だけの関係だと、冷媒温度を下げることを行う。
【００７８】
図１に示すように、店舗内は、店舗内空調を整え、各空調機１８（１８ａ〜１８ｉ）がある。そして、店舗内の空気としてみたときに、店舗内の空気を空調機１８（１８ａ〜１８ｉ）が下げ、更にショーケース２ａ、２ｂ、２ｅ、２ｊ、２ｓ、２ｗ、２ｔ〜が下げることになる。
【００７９】
であれば、ショーケース２ａ、２ｂ、２ｅ、２ｊ、２ｓ、２ｗ、２ｔ〜、空調機１８（１８ａ〜１８ｉ）をコントロールするシステムコントローラ４１によって、空調機１８（１８ａ〜１８ｉ）の設定温度を下げることで、ショーケース２ａ、２ｂ、２ｅ、２ｊ、２ｓ、２ｗ、２ｔ〜環境温度を当初のバランス点まで下げることで、庫内温度を一定に出来る。
【００８０】
そうすることで、空調機の仕事量は増えるが、空調機はショーケースより冷媒蒸発温度の高い領域で動かすので、ショーケース側の冷却運転を減らした分、全体では使用する電気量の削減を得られる。よって庫内については、ここでは庫内温度を一定にするように、空調機の設定温度を調整する。
【００８１】
ここで空調機１８（１８ａ〜１８ｉ）とショーケース２ａ、２ｂ、２ｅ、２ｊ、２ｓ、２ｗ、２ｔ〜の環境温度について説明をすると、空調機１８（１８ａ〜１８ｉ）が一定にしている空気の温度は、空調機が持っているセンサ位置での温度であって、ショーケース２ａ、２ｂ、２ｅ、２ｊ、２ｓ、２ｗ、２ｔ〜の位置での環境温度ではない。
【００８２】
店舗としては、出入り口の開放状態、換気状態によって、外部からの流入空気が絶えず変化するので、特に店舗への流入空気が増えると、空調機１８（１８ａ〜１８ｉ）のセンサ位置での温度とショーケース２ａ、２ｂ、２ｅ、２ｊ、２ｓ、２ｗ、２ｔ〜の位置での温度に差が発生するので、ショーケース位置での温度を一定に保つためには、温度差分空調機の設定温度を下げることが必要になる。かかる不足の場合の判断は、ショーケース庫内温度を一定にするために、ショーケースの所要冷却能力から、冷媒蒸発温度を変える制御対象を用いて、その制御対象量があらかじめ定めた値以下となった場合とする。
【００８３】
ここまでの説明は、ショーケース２ａ、２ｂ、２ｅ、２ｊ、２ｓ、２ｗ、２ｔ〜の庫内温度と冷媒温度の関係を調整することで、庫内温度を一定とする方法で説明したが、空調機のコントロールを持たない、従来のショーケースとコンデンシングユニットとの設定での従来からのショーケース庫内温度制御は、通常冷媒温度をショーケースが必要とする温度より低目としておき、ショーケースは、庫内温度が平均して一定となるように、冷媒量を調整する方法を取る。
【００８４】
このことで、多少の外乱に対してもショーケース側での冷媒量調整で庫内温度を一定に出来るので、制御上は非常にシンプルでやりやすい方法となっている。
【００８５】
しかし、コンデンシングユニット１の消費電力からみると、冷媒温度を必要温度より下げることで、コンデンシングユニット１の効率を低下させ、ショーケース自身としても冷却器（蒸発器９ａ、９ｂ、９ｃ）での過渡熱（冷却器の入口温度と出口温度）が大きくなり、効率の低下を招くことにもなる。
【００８６】
そのため、ショーケース２ａ、２ｂ、２ｅ、２ｊ、２ｓ、２ｗ、２ｔ〜とコンデンシングユニット１全体としての効率を求める場合は、ショーケースの冷却状態を情報としてつかみ、庫内温度を維持できる最大の温度に、冷媒温度を制御することが必要となる。
【００８７】
そしてこのような制御を行うと、ショーケース庫内温度を一定にするために、ショーケース環境温度、もしくは湿度が上昇すると冷却熱量が増大するので、必然的に冷媒温度を下げるフィードバッグ制御が必要となる。
【００８８】
一般的なインバータ方式でのコンデンシングユニットは内部の、圧縮機３の回転数や、凝縮器４への風量を調整するので、ここでのフィードバッグ制御での制御対象は、冷凍機は目標蒸発温度ＥＴｍとすることが多い。
【００８９】
そのため、制御対象である目標蒸発温度の値を見ることで、この値が下がれば、ショーケースの環境が悪化し、上がれば改善したことがわかる。よって、既にショーケース２ａ、２ｂ、２ｅ、２ｊ、２ｓ、２ｗ、２ｔ〜とコンデンシングユニット１でフィードバッグ制御が成立している場合は、ショーケース環境状況を判断できる制御対象をもちいて、空調機の設定温度を変え、ショーケースの所要冷凍能力を低減させることが得られる。
【００９０】
ここでの場合は、目標蒸発温度が、下がってきた場合は、空調機１８（１８ａ〜１８ｉ）の設定温度を下げ、上がってきた場合は、空調機温度を元に戻す。
【００９１】
【表２】
0005758663.tif 000003
前記表２は左側は、前記表１で示している内容と同じで、コンデンシングユニットの定格条件蒸発温度は、コンデンシングユニットが最初に目標とする冷媒の蒸発温度である。
【００９２】
その後、ショーケースの庫内温度の冷却能力の変動より、少なくてよいと判断できた場合は、ＥＴｍをあげ、冷却能力が不足となった場合は、ＥＴｍを下げていく。
【００９３】
前記表２の目標蒸発温度範囲は、この制御でのＥＴｍの上下限を示した値で、ショーケースの所要冷却能力が、いくら低くても、高くても表の範囲までとしている。その理由は、陳列上の意図的な要因で、ショーケース環境が悪化したり、夜間にショーケース表面にカバーをしたりすることの要因もありえるためで、あまりに目標蒸発温度を変えると、その要因が解消した場合に、大きく逆ブレする危険があるためである。
【００９４】
そして、実際の店舗を考えるとき、ショーケース２ａ、２ｂ、２ｅ、２ｊ、２ｓ、２ｗ、２ｔ〜は各種種類、用途、使用実態があり、特に商品陳列上、ショーケースの吸い込み口を商品で邪魔をすることで、絶えず冷却能力不足となるケースも発生する場合がある。
【００９５】
また、ドア近くで、空気の外乱が大きく、このことで、所要冷却能力を上げることもある。
【００９６】
よってこのようなショーケース２ａ、２ｂ、２ｅ、２ｊ、２ｓ、２ｗ、２ｔ〜、もしくはそのショーケースに冷媒を供給するコンデンシングユニット１の状態をもって空調機１８（１８ａ〜１８ｉ）の温度判定にすると、２４時間３６５日空調機の温度を下げることになる。
【００９７】
そうなると、店舗内の温度は実は安定して、滞在するお客様に快適状態となっているにもかかわらず、余計に温度を下げてしまい、お客様、従業員の方に冷温によるストレスを与えてしまうことになる。
【００９８】
これを防止するためにも、ショーケースの環境要因の劣化によって空調機の設定温度を下げる制御は、特定の使用状態にならないショーケース、もしくは、コンデンシングユニットを選定しなければならない。すなわち、ショーケースの所要冷却能力を改善するために、空調機の設定を変える場合、同一店舗内に設置してある特定のショーケース、もしくは特定のショーケースに接続する冷凍機の運転情報により行うこととした。
これを示したのが下記表３である
【００９９】
【表３】
0005758663.tif 000004
【０１００】
さらに、ここまでは夏場を意識して、温度を下げる方向での説明をしたが、冬場は、空調機１８（１８ａ〜１８ｉ）は暖房運転をしているのが普通である。
【０１０１】
この場合、自分の暖房を入れすぎることで、ショーケース２の環境を劣化させてしまうと、暖める能力と、冷やす能力で電気量を相互に増やすことになりかねない。
【０１０２】
よって、特に空調機１８（１８ａ〜１８ｉ）を暖房としている場合は、空調機１８（１８ａ〜１８ｉ）の温度を下げるまでの条件を、夏場の空調機１８（１８ａ〜１８ｉ）が冷房している状態より、敏感にしておくほうが無駄防止の視点では有利となる。
【０１０３】
具体的な空調連携制御について説明する。請求項１で示した、ショーケースごとの庫内温度の変化、もしくは冷却能力の変化から、対応する空調機の温度を変えるための制御量を定めたのが前記表３である。
【０１０４】
ここの表での用途から右の記載名称について説明する。
番号：ショーケースの欄で番号が設置されているショーケース（バックヤードを含む）に順番に割り付けた番号で、ここでは３０台のショーケースがあることが判る。
【０１０５】
連携対象：ここで○がついているケースの庫内温度状態もしくは冷却能力で、空調連携の実施判定を行う。
【０１０６】
その方法として、前期では庫内温度の上昇を見て行うとしているが、実際ではその後の記載の通り、冷媒温度を少し低めにするので、設定温度より低くなった場合に、冷却を絞るか、止めたりして、平均の時間で、設定温度とする。ここで冷却を止める動作をサーモオフと呼ぶ。
【０１０７】
よって庫内温度の上昇だけではなく、そのときのサーモ状態も考慮することが必要で、庫内温度が設定温度より上昇したとしても、サーモオフであれば、冷えた結果の温度上昇なので、冷えていると判断出切るので、冷媒温度を上げることが必要になる。
【０１０８】
また、庫内温度の上昇、下降の速度も重要で、庫内温度が狙いの中にあっても。温度上昇が大きく、このままでは、目標温度を超えることが予測できる場合じは、先行して冷媒温度を下げていく。
【０１０９】
逆に目標温度より高くても下降が大きく、現状維持で十分目標温度以下に下がる場合は、冷媒温度を上げていく予測制御を行い、庫内温度のハンチングを防止する。
よって実際の庫内温度は、そこで使用する冷媒温度の制御によって、絶えず一定に保たれることになる。
【０１１０】
そのため、ショーケースの庫内温度をトリガに空調連携することは、庫内温度を一定とされているので、事実上出来ないことになる。
【０１１１】
そのため空調連携としてのトリガは、庫内温度を一定に保つために絶えず制御かけて温度を変えている冷媒の、その目標温度を選択することが一番正確になる。
【０１１２】
なぜならば、庫内温度が上がるときは、環境要因が悪化し、その要因に対抗するために、冷媒温度は下げ、下げるためには冷媒の目標とする温度を下げることが必要なためである。その結果、ショーケース環境の悪化、良化と、冷媒の目標蒸発温度は一致するためである。
【０１１３】
よって空調連携の指標としての選択肢において、冷媒の目標蒸発温度は、既に存在している制御値であり、新たな指標を作らずに済むので、このことからも最適な指標値と判断できる。但し、唯一の指標値であるとはしていない。
【０１１４】
前記表３における各項目について説明する。
空調機：各ショーケースの番号近辺を冷やす空調機
空調機設定温度変化：ショーケースの環境要因が悪化した場合に行う、各ショーケースもしくはコンデンシングユニット１に対応した空調機１８（１８ａ〜１８ｉ）の温度変更幅。
温度変更更新時間：ショーケース環境が悪化して空調機の温度を一回下げた以降、無一度下げるかを判断するための時間。
【０１１５】
前記温度変更更新時間は、この時間経過しないと２回目の下げは実施しないための時間である。その理由は、空調機の温度を下げてもすぐにはその効果は得られないためで、この時間が無いとどんどん空調機の温度を下げることになってしまうためである。
【０１１６】
空調設定温度シフト保持時間：空調機の設定温度を下げた場合、ＥＴｍが改善できたとしても、この時間の中は空調機の温度を戻さないための時間。
【０１１７】
この空調設定温度シフト保持時間が無いと、空調機の温度を戻すと、ショーケース負荷がまた重くなり、空調機の温度を上げたりとなり、前提の系として動作が落としてしまうためである。
【０１１８】
空調機設定下限温度：空調機の温度を下げてよい下限の温度。
これを下げすぎると、滞在する人への低温ストレスをあたえることになり、更に下げようとすると、ある時点より店舗全体の省エネ効率を悪化させてしまうため。
【０１１９】
ここでの実施例として、例えばＮｏ．１の空調機は対応するショーケースＮｏ．１〜Ｎｏ．５より連携対象の○がある、Ｎｏ．１、２、３、４の５台のうち、いずれかが、表３で示す能力不足となったばあいに、空調機設定温度から２度下げる。
【０１２０】
その後、温度変更更新時間の１時間経過しても、能力不足が解消されていないときは、さらに２度下げていく。
【０１２１】
ただし、下げようとしたとき、空調機設定下限温度より下になる場合は、そこで示している温度までとし、ここでは２５℃よりは下げないようにする。
【０１２２】
なお、一度能力不足と判定されたら、空調設定温度シフト保持時間のここでは６時間は空調機の温度を下げた状態として、６時間後能力不足判定が解除していれば、もとの空調機の設定温度に戻していく。
【０１２３】
但し、既に記載の通り、ショーケース庫内温度を指標とする空調連携制御は、ショーケースの庫内は一定温度に保たれているため実施が難しいので、コンデンシングユニットの冷媒の目標蒸発温度を空調連携の判断指標として構築する実施例を、下記表４と５に示し以下その内容について説明する。
【０１２４】
【表４】
0005758663.tif 000005
【０１２５】
【表５】
0005758663.tif 000006
【０１２６】
前記表５は、各ショーケースとそのショーケースに冷媒を供給するコンデンシングユニットの関係を示す。
【０１２７】
前記表４では、個々のショーケースではなく、ショーケースに冷媒を供給するコンデンシングユニットがショーケース庫内温度を一定にするために調整している、冷媒の目標蒸発温度ＥＴｍを用いて、その値の上下から、空調機の連携制御を行っている。
【０１２８】
ようは、コンデンシングユニットにショーケースとのバランス点を考慮して定めた蒸発温度ＥＴと、都度ショーケース冷却状態を見て、能力の増減をするために変動させた目標蒸発温度ＥＴｍとの差が、表で示している値以下となった場合は、連携対象とする空調機の温度を下げていく。
【０１２９】
前記表４では「空調連携トリガ温度」を「／」をもって二つ記載しているが、「／」の左側は、空調機が冷房状態での温度で、空調機が暖房状態となった場合は右側の温度を、空調連携トリガ温度とする。
【０１３０】
但し、各種各様の店舗形態、設備設置状況、使用状況においては、暖房時に空調連携を働かせることを鈍感にする場合もあるので、ここで重要視するのは、冷房時と暖房時では空調連携トリガ温度を異なる設定にできることにある。
【０１３１】
この表４では、暖房時の方の温度変化を少なくしているので、暖房の方が敏感にしている。
【０１３２】
以下表４の温度変更更新時間より右側は、前記表３の説明と同じである。
またこの内容をフローでしましたのが、図６のフロー図である。
図６、７、８では表４の空調機Ｎｏ．１に関わる範囲での冷房時の空調連携制御動作実施例を示しており、図６は空調連携に入るまで、図７では空調連携の効果からの更なる空調機の温度低下判断、図８では空調連携の終了についで、暖房時も、他の空調機についても同手順の制御となる。
【０１３３】
なお、ここでのコンデンシングユニットがショーケースの能力不足状態を判定する方法として、各センサによる細かな温度を見て所要冷却能力を演算し、推移を捉えショーケース庫内温度を一定に保つための冷媒の目標蒸発温度を調整する方法は、庫内温度の安定のための方式で、ショーケースの冷却能力の求め方となる。よって本発明ではショーケースの冷却能力判定のやり方を対象とはしておらず、その使い方を指定しているので、冷却能力判定のバリエーションについての詳細説明は省略する。
【０１３４】
また、例えば表４で空調機１はコンデンシングユニット１と２にかかわるので、この実施例では、両方とも連携対象で○としているので、両方のいずれかのＥＴｍ−ＥＴが−２度以下になれば空調機の温度を下げるｏｒ条件としている。ただし、店舗の状況などで、ａｎｄ条件で設定してもかまわない。
【０１３５】
ここで挙げたのは、ショーケースでの環境劣化により、所要冷却能力が上昇した場合、同一店舗内の空調機をもってショーケース環境劣化を改善するので、その指標については、冷却能力と相関のあるものとして、コンデンシングユニットが行っている冷媒蒸発温度を可変とする、目標蒸発温度を利用したが、これは一例であって、ショーケース環境状況と相関のある他の指標を用いてもよい。
【図面の簡単な説明】
【０１３６】
【図１】一般的な食品店舗を示す説明図である。
【図２】本発明の空調装置で使用するショーケースの冷媒回路図である。
【図３】コンデンシングユニットの計測制御装置の主な構成を示すブロック図である。
【図４】ショーケースの計測制御装置の主な構成を示すブロック図である。
【図５】図２の１つのショーケースを拡大した説明図である。
【図６】本発明の空調装置における空調連携での開始判定のフロー図である。
【図７】本発明の空調装置における空調連携での下限温度以下への防止処置フロー図である。
【図８】本発明の空調装置における空調連携制御終了判定のフロー図である。
【符号の説明】
【０１３７】
１（１ａ〜１ｉ）：コンデンシングユニット（冷凍機）
２ａ、２ｂ、２ｅ、２ｊ、２ｓ、２ｗ、２ｔ〜：ショーケース
３：圧縮機
４：凝縮機
５：液レシーバ
６：アキュムレータ
７ａ、７ｂ、７ｃ：電磁弁
８（８ａ、８ｂ、８ｃ）：減圧装置（電子膨張弁）
９（９ａ、９ｂ、９ｃ）：蒸発器
１０（１０ａ、１０ｂ、１０ｃ）：ファン
１１：液管
１２：ガス管
１３ａ〜１３ｉ：冷媒温度センサ
１４ａ〜１４ｇ：空気温度センサ
１５ａ、１５ｂ：圧力センサ
１６：計測制御装置    
１７（１７ａ、１７ｂ、１７ｃ）：計測制御装置
１８（１８ａ〜１８ｉ）：空調機
１９（１９ａ、１９ｂ）：バックヤード
２０（２０ａ〜２０ｉ）：冷凍サイクル
２１：圧縮機容量制御手段
２２：ファン風量制御手段
２８：ファン
３１：目標温度設定手段
３２：蒸発器運転決定手段
３３：ファン風量制御手段
３４：流動抵抗制御手段
４１：システムコントローラ
【図１】
0005758663.tif 000007
【図２】
0005758663.tif 000008
【図３】
0005758663.tif 000009
【図４】
0005758663.tif 000010
【図５】
0005758663.tif 000011
【図６】
0005758663.tif 000012
【図７】
0005758663.tif 000013
【図８】
0005758663.tif 000014